【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
表示部と、該表示部上に設けられたタッチパネルとを有するタッチパネルディスプレイと、該タッチパネルディスプレイに接続されるコンピュータ本体とを備えたコンピュータであって、
前記タッチパネルディスプレイは、前記コンピュータ本体の起動又は終了を指示する起動・終了信号を発生するコンピュータ本体起動・終了信号発生部と、前記コンピュータ本体起動・終了信号発生部が前記起動・終了信号を発生した場合に前記コンピュータ本体へ前記起動・終了信号を送信するコンピュータ本体起動・終了信号送信部とを備え、
前記コンピュータ本体は、前記タッチパネルディスプレイから前記起動・終了信号を受信するコンピュータ本体起動・終了信号受信部と、前記コンピュータ本体起動・終了信号受信部が前記起動・終了信号を受信した場合にコンピュータ本体を起動又は終了させるように制御するコンピュータ本体起動・終了制御部とを備えたことを特徴とするコンピュータ。
【請求項２】
表示部と、該表示部上に設けられたタッチパネルとを有するタッチパネルディスプレイと、
前記タッチパネルディスプレイに接続され、前記タッチパネルディスプレイからコンピュータ本体の起動又は終了を指示する起動・終了信号を受信する前記コンピュータ本体起動・終了信号受信部と、前記コンピュータ本体起動・終了信号受信部が前記起動・終了信号を受信した場合にコンピュータ本体を起動又は終了させるように制御するコンピュータ本体起動・終了制御部とを有するコンピュータ本体とを備えたコンピュータに使用するタッチパネルディスプレイであって、
前記起動・終了信号を発生するコンピュータ本体起動・終了信号発生部と、
前記コンピュータ本体起動・終了信号発生部が前記起動・終了信号を発生した場合に前記コンピュータ本体起動・終了信号受信部へ前記起動・終了信号を送信するコンピュータ本体起動・終了信号送信部とを備えたことを特徴とするタッチパネルディスプレイ。
【請求項３】
コンピュータ本体と、
前記コンピュータ本体に接続され、表示部と、該表示部上に設けられたタッチパネルと、前記コンピュータ本体の起動又は終了を指示する起動・終了信号を発生するコンピュータ本体起動・終了信号発生部と、前記コンピュータ本体起動・終了信号発生部が前記起動・終了信号を発生した場合に前記コンピュータ本体へ前記起動・終了信号を送信するコンピュータ本体起動・終了信号送信部とを有するタッチパネルディスプレイとを備えたコンピュータに使用するコンピュータ本体であって、
前記コンピュータ本体起動・終了信号送信部から前記起動・終了信号を受信するコンピュータ本体起動・終了信号受信部と、
前記コンピュータ本体起動・終了信号受信部が前記起動・終了信号を受信した場合にコンピュータ本体を起動又は終了させるように制御するコンピュータ本体起動・終了制御部とを備えたことを特徴とするコンピュータ本体。
【請求項４】
表示部と、該表示部上に設けられたタッチパネルと、コンピュータ本体の起動又は終了を指示する起動・終了信号を発生するコンピュータ本体起動・終了信号発生部と、前記コンピュータ本体へ前記起動・終了信号を送信するコンピュータ本体起動・終了信号送信部とを有するタッチパネルディスプレイと、
前記タッチパネルディスプレイから前記起動・終了信号を受信するコンピュータ本体起動・終了信号受信部と、前記コンピュータ本体を起動又は終了させるように制御するコンピュータ本体起動・終了制御部とを有するコンピュータ本体とを備えたコンピュータの制御方法であって、
前記コンピュータ本体起動・終了信号発生部が、前記起動・終了信号を発生するステップと、
前記コンピュータ本体起動・終了信号送信部が、前記コンピュータ本体起動・終了信号発生部が前記起動・終了信号を発生した場合に、前記コンピュータ本体起動・終了信号受信部へ前記起動・終了信号を送信するステップと、
前記コンピュータ本体起動・終了信号受信部が、前記コンピュータ本体起動・終了信号送信部から前記起動・終了信号を受信するステップと、
前記コンピュータ本体起動・終了制御部が、前記コンピュータ本体起動・終了信号受信部が前記起動・終了信号を受信した場合に、前記コンピュータ本体を起動又は終了させるように制御するステップとを含むことを特徴とするコンピュータの制御方法。
【請求項５】
表示部と、該表示部上に設けられたタッチパネルと、コンピュータ本体の起動又は終了を指示する起動・終了信号を発生するコンピュータ本体起動・終了信号発生部と、前記コンピュータ本体へ前記起動・終了信号を送信するコンピュータ本体起動・終了信号送信部とを有するタッチパネルディスプレイと、
前記タッチパネルディスプレイから前記起動・終了信号を受信するコンピュータ本体起動・終了信号受信部と、前記コンピュータ本体起動・終了信号受信部が前記起動・終了信号を受信した場合に前記コンピュータ本体を起動又は終了させるように制御するコンピュータ本体起動・終了制御部とを有するコンピュータ本体とを備えたコンピュータに使用するタッチパネルディスプレイの制御方法であって、
前記コンピュータ本体起動・終了信号発生部が、前記起動・終了信号を発生するステップと、
前記コンピュータ本体起動・終了信号送信部が、前記コンピュータ本体起動・終了信号発生部が前記起動・終了信号を発生した場合に、前記コンピュータ本体起動・終了信号受信部へ前記起動・終了信号を送信するステップとを含むことを特徴とするタッチパネルディスプレイの制御方法。
【請求項６】
表示部と、該表示部上に設けられたタッチパネルと、コンピュータ本体の起動又は終了を指示する起動・終了信号を発生するコンピュータ本体起動・終了信号発生部と、前記コンピュータ本体起動・終了信号発生部が前記起動・終了信号を発生した場合に前記コンピュータ本体へ前記起動・終了信号を送信するコンピュータ本体起動・終了信号送信部とを有するタッチパネルディスプレイと、
前記タッチパネルディスプレイから前記起動・終了信号を受信するコンピュータ本体起動・終了信号受信部と、前記コンピュータ本体を起動又は終了させるように制御するコンピュータ本体起動・終了制御部とを有するコンピュータ本体とを備えたコンピュータに使用するコンピュータ本体の制御方法であって、
前記コンピュータ本体起動・終了信号受信部が、前記コンピュータ本体起動・終了信号送信部から前記起動・終了信号を受信するステップと、
前記コンピュータ本体起動・終了制御部が、前記コンピュータ本体起動・終了信号受信部が前記起動・終了信号を受信した場合に、前記コンピュータ本体を起動又は終了させるように制御するステップとを含むことを特徴とするコンピュータ本体の制御方法。
【手続補正２】
【補正対象書類名】明細書
【補正対象項目名】発明の名称
【補正方法】変更
【補正の内容】
【発明の名称】コンピュータ、タッチパネルディスプレイ、コンピュータ本体及び制御方法
【手続補正３】
【補正対象書類名】明細書
【補正対象項目名】００２１
【補正方法】変更
【補正の内容】
【００２１】
タッチパネル２１は、ユーザの入力用のものであって、表示部２０上に設けられ、表示部２０に表示される入力キーの画像に対するユーザの押下位置の座標を特定する。その座標は、タッチパネルディスプレイ制御部２４でタッチパネル２１からの出力信号を処理して特定される。そして座標の特定結果を元に、表示部２０に表示された入力キーのうち、押下されたキーを特定し、入力された指示を判断する。タッチパネル２１としては、例えば、透明抵抗膜方式、表面弾性波方式、赤外線方式、電磁誘導方式、静電容量方式など、様々な方式を採用することができる。